(57)【要約】【課題】従来と比較し、処置部における照明に優れる機能性ハンドピースを提供する。また、材料を節約する構造を保持しつつ、安定しており、且つ、軽量のハンドピース用カニューレを提供する。【解決手段】細長いハンドピース本体２が、ハンドルピース本体２の後端に可撓性の供給ラインを接続するための接続部を有し、ハンドルピース本体の先端に処置部を照明するための光透過性光照射部３とを有し、更に、光照射部内に水、空気及びスプレーから選択される媒体を放出するための放出口１５を有する機能性ハンドピース１であって、光照射部３が、ハンドピース本体１の先端部に取り外し可能なように接続され、光照射部３が取付部材を有し、光照射部３が掛け金手段６ｂによりハンドピースに接続され、直接及び間接のいずれかで掛け金頭部６ｄを光照射部３に有す掛け金手段６ｂが内面方向に放射状に差し込まれ、取付部材上の掛け金端６ｅ後方から自動的に飛び出す。【選択図】　　　　図１
2004081846.tif 000002
【特許請求の範囲】
【請求項１】
細長いハンドピース本体と、該ハンドピース本体の後端に位置し可撓性の供給ラインを接続するための接続部と、該ハンドピースの前端に位置し処置部を照明するための光透過性光照射部とを有し、該光照射部内に水、空気及びスプレーから選択される媒体を放出するための放出口を有する機能性ハンドピースであって、
該光照射部が、該機能性ハンドピースの前端部を成すように、差込取付部材により、取り外し可能にハンドピース本体に連結されており、
該光照射部上に、該連結に用いられる掛け金手段が、直接又は間接的に配置されており、
該掛け金手段が、中心方向に押し込むことができ、掛け金端後方から自動的にはね返ることができるように構成された掛け金頭部を有することを特徴とする機能性ハンドピース。
【請求項２】
ハンドピース本体に外部から接触可能な穴を有し、光照射部をハンドピース本体から取り外す際、該穴から掛け金頭部が押し込まれる、請求項１に記載の機能性ハンドピース。
【請求項３】
細長いハンドピース本体と、該ハンドピース本体の後端に位置し可撓性の供給ラインを接続するための接続部と、該ハンドピース本体の先端に位置し処置部を照明するための光透過性光照射部とを有し、該光照射部内に水、空気及びスプレーから選択される媒体を放出するための放出口を有する機能性ハンドピースであって、
該光照射部が、該機能性ハンドピースの先端部を成すように、掛け金手段を有す差込取付部材により、取り外し可能にハンドピース本体に接続されており、
光照射部上に、掛け金頭部を有する該掛け金手段が、直接及び間接のいずれかで配置されており、
該掛け金頭部が、掛け金端の後ろの掛け金位置に自動的にはね返ることができ、取り外しの際、ハンドピース本体に形成された穴を介して外部から接触可能なことを特徴とする機能性ハンドピース。
【請求項４】
光照射部の外表面と近接のハンドピース本体の外表面とが段差なく移行する、請求項１から３のいずれかに記載の機能性ハンドピース。
【請求項５】
光照射部から直立する差込ピンを有し、該差込ピンが、光照射部と隣接するハンドピース本体が有す差込凹部に合わせられる、請求項１から４のいずれかに記載の機能性ハンドピース。
【請求項６】
光照射部が、先の細い差込ピンの段状の表面によってハンドピース本体に支持されている、請求項５に記載の機能性ハンドピース。
【請求項７】
掛け金頭部が後方に直立した弾力アーム部に配置される、請求項１から６のいずれかに記載の機能性ハンドピース。
【請求項８】
ハンドピース本体がカニューレを含み、該カニューレが把持部と取り外し可能に接続されている、請求項１から７のいずれかに記載の機能性ハンドピース。
【請求項９】
カニューレが横方向に湾曲及び折曲のいずれかしている、請求項８に記載の機能性ハンドピース。
【請求項１０】
カニューレが、機能性ハンドピースの中心軸を中心に回転可能なように設置されている、請求項８及び９のいずれかに記載の機能性ハンドピース。
【請求項１１】
カニューレが差込及び回転の少なくともいずれかの結合により接続される、請求項８から１０のいずれかに記載の機能性ハンドピース。
【請求項１２】
少なくとも１つ以上の媒体ラインが差込及び回転の少ないともいずれかの結合の中空円筒状分割接合部をＺ型に通過し、及び／又は、少なくとも１以上の光導電体が該差込及び回転の少なくともいずれかの結合を軸上に通過し光照射体まで伸長する、請求項１１に記載の機能性ハンドピース。
【請求項１３】
カニューレ筒を有し、該カニューレ筒の後端にカニューレ基板を有し、該カニューレ筒の前端に開口部を有すカニューレであって、
該カニューレとハンドピースの把持部との接続のための接続手段部が該カニューレ基板に配置され、少なくとも１つの媒体ラインが該カニューレ基板を通り該開口部まで伸長するカニューレであり、
カニューレ基板とカニューレ筒とが併せて二体構成をなし、該カニューレ基板が、該カニューレ基板から前方の空間において該カニューレ基板及び該カニューレ筒間に横方向の支持体を形成する支持アーム部により、前方に伸長していることを特徴とするハンドピース用カニューレ。
【請求項１４】
カニューレ基板と支持アーム部とが、差込凹部と該差込凹部にかみ合わさる差込ピンとを有す差込結合により接続される、請求項１３に記載のハンドピース用カニューレ。
【請求項１５】
支持アーム部は、フット部と側面に寄る壁とが角度を形成するように配置される請求項１３及び１４のいずれかに記載のハンドピース用カニューレ。
【請求項１６】
少なくとも１つ以上の媒体ライン及び／又は光導電体がそれぞれ角度のある中空房を通過する、請求項１５に記載のハンドピース用カニューレ。
【発明の詳細な説明】
【０００１】
【発明の属する技術分野】
本発明は、先端部に光照射部を有し、後端部に供給ラインと接続するための接続部を有す機能性ハンドピースに関する。
【０００２】
【従来の技術】
医療又は歯科医療用ハンドピースは、主に、人体又は動物の治療のための器具を具備し又は具備可能で、人体又は動物に医療行為を行うのに使用されるハンドピースと、人体又は動物の処置部を治療可能な状態に保つ、例えば、処置部を冷却及び清浄するために水及び／又は空気を送る、処置部を照射する、又は唾液や血液などの体液を処置部から除去する等のため、或は、処置部を探査するために使用されるハンドピースとに分類される。医療分野においては、前者を作業用ハンドピースと、後者を機能性ハンドピースという。したがって、機能性ハンドピースとは、洗浄及び／又は送風用ハンドピース、照明用ハンドピース、又は探査用ハンドピースである。
【０００３】
洗浄又は送風用ハンドピースである機能性ハンドピースなどが知られている（例えば特許文献１参照）。この歯科用機能性ハンドピースは、処置部に水及び／又は空気、或は光を運ぶ。前記機能性ハンドピースは、細長い把持部を有し、該把持部の前方には取り外し可能なカニューレを有している。該カニューレの先端には光照射部を有し、該光照射部には光導電体を介し又は直接ランプにより光を伝達する。機能操作において、前記光照射部は、処置部に光を照射する。前記光照射部は、カニューレの保護チューブによって囲まれる。前記光照射部の自由端には、水を放出するための中央ノズルと、空気を放出するための第二環状ノズルを有し、それらは共通ノズル口に開口する。該共通ノズル口は、光照射体のレシービングホールの前方に固定して配置されるスリーブによって囲まれている。したがって、光照射部は、その先端に環状端面を有し、該環状端面から前方に向かって、環状に光を照射する。
先端が光照射部である歯科又は歯科医療用ハンドピースであって、前記光照射部が前記ハンドピースに留め金接合で、差込により取り外し可能なように接続されている歯科又は歯科医療用ハンドピースが開示されている（例えば特許文献２参照）。
また、吸い込み用ハンドピースの多様な態様が開示されている（例えば特許文献３参照）。該文献の図１５から図１９は、掛け金手段を有す差込接合により前記吸い込み用ハンドピースに接続された光照射部を示している。
人体又は動物の治療の形態は、機能性ハンドピース自体の多様な種類により様々であり、更には、該機能性ハンドピースと作業用ハンドピースの組み合わせにより多種多様である。したがって、医師などの術者が処置部及び治療結果をもはっきりと観察できるように処置部の優れた照明が望まれている。
【０００４】
【特許文献１】
独国特許出願公開第３５０００８５Ｃ２号明細書
【特許文献２】
独国特許出願公開第１００４５１１５Ａ１号明細書
【特許文献３】
国際公開第９９／４７０６８号パンフレット
【０００５】
【発明が解決しようとする課題】
本発明は、従来における諸問題を解決し、以下の目的を達成することを課題とする。即ち、本発明は、従来と比較し、処置部における照明に優れる機能性ハンドピースを提供することを目的とする。
本発明は更に、材料を節約する構造を保持しつつ、安定しており、且つ、軽量のハンドピース用カニューレを提供することを目的とする。
【０００６】
【課題を解決するための手段】
前記課題を解決するための手段としては、以下の通りである。即ち、
＜１＞　細長いハンドピース本体（２）と、該ハンドピース本体（２）の後端に位置し可撓性の供給ラインを接続するための接続部と、該ハンドピースの前端に位置し処置部を照明するための光透過性光照射部（３）とを有し、更に、該光照射部（３）内に水、空気及びスプレーから選択される媒体を放出するための放出口（１５）を有する機能性ハンドピース（１）であって、
該光照射部（３）が、該機能性ハンドピース（１）の前端部を成すように、差込取付部材（６ａ）により、取り外し可能にハンドピース本体（２）に連結されており、
該光照射部（３）上に、該連結に用いられる掛け金手段（６ｂ）が、直接又は間接的に配置されており、
該掛け金手段（６ｂ）が、中心方向に押し込むことができ、掛け金端（６ｅ）後方から自動的にはね返ることができるように構成された掛け金頭部（６ｄ）を有することを特徴とする機能性ハンドピース（１）である。
＜２＞　ハンドピース本体に外部から接触可能な穴（６ｇ）を有し、光照射部をハンドピース本体から取り外す際、該穴（６ｇ）から掛け金頭部（６ｄ）が押し込まれる、＜１＞に記載の機能性ハンドピースである。
＜３＞　細長いハンドピース本体（２）と、該ハンドピース本体（２）の後端に位置し可撓性の供給ラインを接続するための接続部と、該ハンドピース本体の先端に位置し処置部を照明するための光透過性光照射部（３）とを有し、更に、該光照射部内に水、空気及びスプレーから選択される媒体を放出するための放出口（１５）を有する機能性ハンドピース（１）であって、
該光照射部（３）が、該機能性ハンドピース（１）の先端部を成すように、掛け金手段（６ｂ）を有す差込取付部材（６ａ）により、取り外し可能にハンドピース本体（２）に接続されており、
光照射部（３）上に、掛け金頭部（６ｄ）を有する該掛け金手段（６ｂ）が、直接及び間接のいずれかで配置されており、
該掛け金頭部（６ｄ）が、掛け金端（６ｄ）の後ろの掛け金位置に自動的にはね返ることができ、取り外しの際、ハンドピース本体（２）に形成された穴（６ｄ）を介して外部から接触可能なことを特徴とする機能性ハンドピース（１）である。
＜４＞　光照射部（３）の外表面と近接のハンドピース本体の外表面とが段差なく移行する、＜１＞から＜３＞のいずれかに記載の機能性ハンドピースである。
＜５＞　光照射部（３）から直立する差込ピン（３ｂ）を有し、該差込ピン（３ｂ）が、光照射部（３）と隣接するハンドピース本体が有す差込凹部（３ａ）に合わせられる、＜１＞から＜４＞のいずれかに記載の機能性ハンドピースである。
＜６＞　光照射部（３）が、先の細い差込ピン（３ｂ）の段状の表面（３ｃ）によってハンドピース本体に支持されている、＜５＞に記載の機能性ハンドピースである。
＜７＞　掛け金頭部（６ｄ）が後方に直立した弾力アーム部（３ｂ）に配置される、＜１＞から＜６＞のいずれかに記載の機能性ハンドピースである。
＜８＞　ハンドピース本体がカニューレ（８）を含み、該カニューレが把持部（７）と取り外し可能に接続されている、＜１＞から＜７＞のいずれかに記載の機能性ハンドピースである。該カニューレは、即脱離接続により該把持部と接続されていることが好ましい。
＜９＞　カニューレ（８）が横方向に湾曲及び折曲のいずれかしている、＜８＞に記載の機能性ハンドピース（１）である。
＜１０＞　カニューレ（８）が、機能性ハンドピース（１）の中心軸を中心に回転可能なように設置されている、＜８＞及び＜９＞のいずれかに記載の機能性ハンドピースである。
＜１１＞　カニューレ（８）が差込及び回転の少なくともいずれかの結合により接続される、＜８＞から＜１０＞のいずれかに記載の機能性ハンドピースである。
＜１２＞　少なくもと１つ以上の媒体ライン（１４、１４ａ、１４ｂ）が差込及び回転の少ないともいずれかの結合の中空円筒状分割接合部（１６）をＺ型に通過し、及び／又は、少なくとも１以上の光導電体（３６）が該差込及び回転の少なくともいずれかの結合を軸上に通過し光照射体（３）まで伸長する、＜１１＞に記載の機能性ハンドピースである。
＜１３＞　カニューレ筒（１８）を有し、該カニューレ筒（１８）の後端にカニューレ基板（１９）を有し、該カニューレ筒（１８）の前端に開口部（１５）を有すカニューレ（８）であって、
該カニューレ（８）とハンドピースの把持部（７）との接続のための接続手段部が該カニューレ基板（１９）に配置され、少なくとも１つの媒体ラインが該カニューレ基板（１９）を通り該開口部（１５）まで伸長するカニューレであり、
カニューレ基板（１９）とカニューレ筒（１８）とが併せて二体構成をなし、該カニューレ基板（１９）は、該カニューレ基板（１９）から前方の空間ａにおいて該カニューレ基板（１９）及び該カニューレ筒（１８）間に横方向の支持体を形成する支持アーム部（１９ａ）により、前方に伸長していることを特徴とするハンドピース用カニューレである。
＜１４＞　カニューレ基板（１９）と支持アーム部（１９ａ）とが、差込凹部（１９ｃ）と該差込凹部（１９ｃ）にかみ合わさる差込ピンとを有す差込結合により接続される、＜１３＞に記載のハンドピース用カニューレである。
＜１５＞　支持アーム部（１９ａ）は、フット部（１９ｂ）と側面に寄る壁（１９ｅ）とが角度を形成するように配置される＜１３＞及び＜１４＞のいずれかに記載のハンドピース用カニューレである。
＜１６＞　少なくとも１つ以上の媒体ライン及び／又は光導電体（３６ａ、３６ｂ）がそれぞれ角度のある中空房を通過する、＜１５＞に記載のハンドピース用カニューレ。
なお、前記用語には、図中の番号を付したが、これは理解の容易のためであり、本発明が図によって限定的に解釈されるものではない。
【０００７】
＜１＞に記載の本発明の多機能性ハンドピースは、光照射部がハンドピースの先端部を形成し、該光照射部が取り外し可能なように接続されているという点において、独国特許出願公開第１００４５１１５Ａ号明細書と異なる。また同様に、＜３＞に記載の本発明の機能性ハンドピースも、上述の点において、国際公開第９９／４７０６８Ａ号パンフレットと異なる。鋭意研究の結果得られた、処置部の向上された放射状の照明は、以下の通りである。即ち、機能操作において、光は前方だけでなく、側面方向にも照射される。したがって、処置部を放射状に照明することができる。これにより、光照射部の大きさよって生じていた影が実質的に減少された。また、光照射部の取り外し可能な接合は、例えばハンドピースに具備されている光照射が損なわれた後、他の光照射部に交換することが可能になったため、機能性ハンドピースは時間及び材料を節約しつつ優れた機能状態を保持することができる。光照射が損なわれた場合、例えばそれは光照射部の表面に傷がつくことなどにより生ずるが、該光照射部は新しい光照射部に交換できるため、この交換は時間及び材料の点で僅かな支出で済む。取り外し可能な接合は、好ましくは即脱離接合である。特に好ましいのは、迅速な接合だけでなく、確実な及び拘束接合が可能な掛け金手段を有するハンドピースである。
【０００８】
光は１つ又は２つの光導電体を通り光照射体に到達する。前記光導電体はハンドピース内で後端部から先端部にむかって前方に伸びる。前記光導電体はハンドピース内で偏心上に配置されるのが好ましく、よって水ラインが同軸上に光照射部と接続されるか、又は該光照射部を同軸上において通り抜ける。
【０００９】
したがって、本発明による構造は、洗浄又はスプレー、及び送風ハンドピースなど、或いは、吸い込みハンドピース、又は、処置部の画像を撮影するための画像装置を有す探査用ハンドピースに好適である。
＜２＞及び＜４＞から＜１６＞に記載の本発明の機能性ハンドピースは、該機能性ハンドピースと処置部との接触性を向上し、小型で製造上経済的な構造を提供し、信頼性の高い機能特性及び優れた操作性を確実にした。
【００１０】
独国特許出願公開第３３３７１６６Ａ１号明細書では、差込／回転結合によってカニューレを取り外し可能にハンドピース本体に接続した歯科用スプレーハンドピースが開示されている。結合部を有すカニューレ基板はカニューレ筒と一体構造で形成されているため、前記カニューレは少なくとも後端部が中実に形成されている。これによって、カニューレは安定しているが、使用されている材料及び比較的重い構造の点で過剰であり、これらは避けられるべきである。
【００１１】
本発明において、カニューレはカニューレ基板とカニューレ筒との二部で構成されている。更に、カニューレ基板は、前方に伸長する支持アーム部を有し、該指示アーム部は、カニューレ基板から前方向に存在する隙間においてこれらの部材間における横方向の支持体を構築する。
【００１２】
この二体構造の性質により、前記カニューレは簡潔な方法によって中空に及び薄壁状に形成することができる。このため、使用される材料及び重さを減少することができる。また、前記カニューレスリーブは、前記カニューレ基板から前方に伸長する支持アーム部により側面方向に支えられるため、使用される材料及び重さを減少しても安定している。
【００１３】
本発明によるこの構造は、真直なカニューレと、側面方向に折曲又は湾曲しているカニューレとの両方に好適である。少なくとも１つの媒体ラインがカニューレ内を通過している場合、片面壁によって、又は貝状に支持アーム部を形成することが有効である。これによって、少なくとも１つの媒体ラインが通る中空の空間を作ることができる。湾曲又は折曲しているカニューレにおいて、前記支持アーム部の側壁は湾曲又は折曲部の内側に配置されるのが好ましい。
カニューレ基板と支持アーム部とを接続させるため、差込凹部との差込結合が設けられる。前記差込凹部で対応する差込結合の差込ピンを受ける。
【００１４】
【発明の実施の形態】
本発明の機能性ハンドピース及びハンドピース用カニューレの好ましい実施の形態について、以下に図面を参照しながら説明するが、本発明はこの図に限定されるものではない。
本発明の機能性ハンドピース１は、少なくとも１種以上の治療媒体を、該ハンドピース１によって治療される処置部に配送する。ここで、前記治療媒体は、例えば、水及び／又は空気、スプレー及び／又は光などである。前記機能性ハンドピースは細長い構造を有す。図に示すように、ハンドピース本体２は真直に伸びているか又は該ハンドピース本体の先端部に横に折曲又は湾曲しているハンドピース前部２ａを有す。前記ハンドピース本体２の先端からは、前方に光照射部３が伸び、該光照射部が機能性ハンドピースのヘッド部４を形成する。機能的操作中に、前記光照射部３は光線５に強調されるように光を前方及び全方向に照射する。照射表面が大きいため、前記光照射部３は処置部を、少なくとも該光照射部の近傍においては、影を生じることなく照明する。本発明の好ましい態様において、前記光照射部３はプラスチック、ガラス、又は水晶により形成され、該光照射部３は一体構造の光照射体３ａを有す。該光照射体３ａはヘッド部４及び接続体３ｂを形成する。本発明の好ましい態様の場合、前記接続体３ｂは前記光照射体３ａから後方に中央方向に伸びる差込ピンより成る。前記ヘッド部４又は光照射体３ａは、ハンドピース本体２の先端に、肩面３ｃと先の細い接続体３ｂで支えられる。
【００１５】
前記接続体３ｂは接続手段６の一部であり、該接続手段６は即脱離手段によって形成されるのが好ましく、以下でより詳細に説明される掛け金手段６ｂを有す差込取付部材６ａにより形成されるのが特に好ましい。ピン型の接続体３ｂはハンドピース本体２の対応する差込凹部６ｃに挿入される。該凹部は前方に開口し、意図しない離脱に対して固定されており、特に掛け金されている。
本発明において、ハンドピース本体２は一体構造でもよい。本発明の好ましい態様において、ハンドピース本体２は二体構造であり、該ハンドピース本体２は横方向に分割され、後部の把持部７と、該把持部７の先端から前方に伸長するカニューレ８とに分けられる。したがって、前記カニューレ８と前記把持部７との接続のため、結合手段９、特に即脱離手段が設けられる。該結合手段９は、差込凹部１１ａとそれに対応する差込ピン１１ｂとを有する差込取付部材１１により形成される。本発明の好ましい態様において、前記差込凹部１１ａは、把持部７の横方向の端面７ａである平面に開口し、差込ピン１１ｂは、端面７ａと平行なカニューレ８の端面８ａから伸長する。差込凹部１１ａ及び差込ピン１１ｂは円状、円筒状、又は階段円筒状に形成されるのが好ましい。これにより、カニューレ８のための回転軸受け８が形成され、自由に回転可能なように配置される。差込取付部材１１においてカニューレ８の軸固定のために、掛け金手段１０が設けられる。カニューレ８を差込取付部材１１に軸上に固定するため、掛け金手段１０が設けられる。該掛け金手段１０は、手動による差込において自動的に押し込まれ、引き離したときは自動的にはね返る。前記掛け金手段１０は、例えば、接合体３ｂから後方に突き出る弾力アーム部１０ｂ上に１つ又は互いに異なるように配置された２つの掛け金頭部１０ａを有す。よって、前記掛け金頭部１０ａは好ましくは環状の掛け金端１０ｃに後部から掛け合わされ、手動による引き離しにおいてはね返る。これにより、掛け金手段を有す回転／差込結合が手動で可能になる。
【００１６】
機能性ハンドピースは流動性の媒体、例えば水、空気、又はスプレーのための媒体ライン１４を少なくとも１つ有す。該媒体ライン１４は好ましくは前記機能性ハンドピース１を長手方向に後端から媒体ノズル１５へと伸びる。該媒体ノズル１５は前記光照射部３に開口し、好ましくは該光照射部３の先端の中心に開口する。したがって、媒体ライン１４は結合部１１ａ、１１ｂ間の好ましくは中空の円筒状分割接合部（ｈｏｌｌｏｗ　ｃｙｌｉｎｄｒｉｃａｌ　ｄｉｖｉｄｉｎｇ　ｊｏｉｎｔ）１６をＺ型に通過する。放射状媒体ライン部は環状溝１７を通って分割接合部１６を通過する。該環状溝１７は、差込凹部１１ａの内表面に形成されてもよく、差込ピン１１ｂの外表面に形成されてもよい。これにより、差込／回転結合１３の円断面において３６０°以上の回転性と共に、結合を通して媒体の永続する通過性が確保される。分割接合部１６を通る媒体ライン１４の通路は前記凹部１１ａ又は前記ピン１１ｂの環状溝に配置された密閉リング１１ｃにより両側を密閉される。
【００１７】
本発明の好ましい態様においては、２つの媒体ライン１４ａ、１４ｂが上述のように形成されている。即ち、１つが水のための媒体ライン、もう１つが空気又は圧縮空気のための媒体ラインであり、これらは媒体ノズル１５の箇所において統合され、スプレーを形成し、該スプレーは前記媒体ノズル１５から好ましくは前方に放出される。
所望の媒体は、把持部７の前部に配置された手動操作による押しボタン２０によってスイッチオン及びオフの操作が行われる。
【００１８】
ハンドピース本体２は、その後端に、可撓性の供給ラインと接続可能な、好ましくはネジ接合可能な結合部２ｂを有す。また、少なくとも１つの媒体ライン１４の供給ライン内の対応する媒体ラインとの取り外し可能な接合のために、ライン結合部１４ｃを有す。
【００１９】
少なくとも１つの媒体ライン１４がカニューレ８内にトンネルとして通じており、又は、区間内にチューブ又はパイプとして通じている。本発明の好ましい態様においては、カニューレ８はスリーブ状のカニューレ筒１８である。前記カニューレ筒１８は後端差込凹部２２において、後方の円筒差込ピン２１状のカニューレ基板１９に配置、固定され、例えばリング状溝内にあるＯ型リングにより密封されている。前記カニューレ基板１９は、例えば加圧はめ合い、接着、鎖錠などによりカニューレ筒１８に固定することができる。
【００２０】
接合部においてＺ型通過後、媒体ライン１４ａ、１４ｂは軸に沿って前方に伸びる。前記媒体ライン１４ａ、１４ｂは、カニューレ基板１９の前方で差込結合部を接続し、媒体ホース又はパイプを接続される。これらは前方に伸び、よって水ラインは光照射部３の中央通り穴２５に到達する。該中央通り穴２５の後端の断面は水ライン１４ａの断面より極めて大きい。前記中央通り穴２５、又は光照射部３及び水ライン１４ａ間に形成された環状の隙間は前方にしたがって細くなっており、よって前記中央通り穴２５の先端部では該中央通り穴は僅かな環状の隙間２７をもって水ライン１４ａを囲んでいる。前記水ライン１４ａを中央に配置し、且つ、前記光照射部３の先端と前記水ライン１４ａの先端とが僅かな間隔をもつように配置するため、前記光照射部３の中央部に環状の心立て部２８を配置する。該心立て部２８は、該心立て部２８の外周により前記中央通り穴２５の内表面上に支えられ、また前記心立て部２８の内周により前記水ライン１４ａを密接に囲み支える。したがって、前記水ライン１４ａは中央に配置される。
【００２１】
空気ライン１４ｂは、前記水ライン１４ａの先端から後方に向かって形成されている隙間の広くなった環状断面２５において終端する。本発明の好ましい態様の場合、空気ライン１４ｂは、カニューレ筒１８と水ライン１４ａとの間に位置する環状房３１に開口する。前記空気ライン１４ｂの先端の区間において、前記環状房３１は軸分割され、ディスク３２によって密閉されている。したがって、圧縮空気は環状房３１の後方部には侵入できない。前記ディスク３２は密閉されるように設置され、前記水ライン１４ａ及び前記空気ライン１４ｂが１つ又は２つの隣合う穴３３を通して密閉されるように通されている。空気ライン１４ｂは光照射部３の手前で終端する。前記通り穴２５は環状房３１と隣接する。前記心立て部２８は空気透過性であって、空気は図示していない軸に平行な穴によって通過することができる。
【００２２】
前記光照射部３の後部には、光を該光照射部３内に照射する光配送手段が配置されている。本発明の好ましい態様では、少なくとも１つの光導電体が配置される。該光導電体は後後部から光照射部へと伸び、前記後部から前記光照射部に光を照射する。前記光導電体３６の始端がカニューレ８の末端であってもよい。ここで、カニューレ８の末端とは、差込ピン１１ｂの末端でもある。好ましくは平坦な光導電体３６の後端面３６ｃは入光表面である。前記光導電体に送りこまれる光は把持部７に配置されたランプによって供給されてもよい。しかしながら、前記光導電体３６まで到達する後部光伝達光導電体３６ｄを把持部７に配置してもよい。前記光導電体３６は光照射部３で、即ちピン状接続体３ｂの後端面で、平滑末端で終端させるのが有効である。本発明の好ましい態様にでは、２つの対応する光導電体３６ａ、３６ｂが互いに隣り合うように配置されている。カニューレ８及びヘッド部４は、それらの断面径が前方方向に、好ましくは連続的に収束する。
【００２３】
掛け金手段６ｂは手動で解除可能である。したがって、作業用ハンドピースのドリルと伴に治療を行う際などに起こりやすい、光照射部の表面が傷などにより欠損した場合に、光照射部３を取り外し、新しい光照射部に交換することが可能である。
掛け金手段６ｂは掛け金頭部６ｄを有す。掛け金手段の差込において、前記掛け金頭部６ｄは、ばねの力又は該掛け金頭部の材料の弾性によって、掛け金位置から自発的に跳ね出る。前記掛け金位置において掛け金頭部は掛け金端６ｅの後ろに掛けられる。本発明の好ましい態様において、掛け金頭部６ｄは、接続体３ｂの外側の一部に配置され、後方に直立する弾力アーム部６ｆ上に形成される。接続体３ｂの挿入において、弾力アーム部が掛け金頭部６ｄと伴に押し込まれ、前記弾力アーム部が、カニューレ筒１８を外側に貫通する掛け金穴６ｇに到達するとき、自発的に飛び出し、掛け金頭部６ｄの前端が掛け金端６ｅを形成する。掛け金穴６ｇの形状及び大きさは掛け金頭部６ｄの形状及び大きさにわずかに遊びをもって調整されている。掛け金位置においては、掛け金頭部６ｄは外部から接近可能であり、該掛け金頭部６は、例えば指又は指の爪によって、掛け金穴６ｇを通り、取り外し位置に動かされる。弾力アーム部６ｆの反対側には第二の弾力アーム部６ｆが配置されてもよく、これによって差込の誘導が向上する。
【００２４】
掛け金の取り外しを簡略化するため、掛け金頭部６ｄの脚部に逃げ溝６ｈを設けるのが有効であり、該逃げ溝６ｈが掛け金頭部６ｄの後部にある結合腹部６ｉまで切り下げられるのが有効である。これにより、掛け金頭部６ｄの先頭部においてのばね作用が曲げにより可能になり、掛け金端６ｅを乗り超えて進む掛け金頭部の動きが簡略化される。
【００２５】
カニューレ筒１８とカニューレ基板１９とのカニューレの二体構造において、該カニューレ基板１９を支持アーム部１９ａにより前方に延長させるのが有効である。これにより、カニューレ基板１９から前方に位置する間隔ａで、カニューレ筒とカニューレ基板との間において側面方向又は横方向の支持体ができる。これは、カニューレ基板１９が掛け金弾力アーム部１０ａを有する比較的短い差込取付部材を有する場合に、特に効果的である。
【００２６】
本発明の好ましい態様において、支持アーム部１９は、カニューレ基板１９と二体構成を形成し、該カニューレ基板１９の前端に取り付けられる。例えば、フット部１９ｂ又はフランジはその端面において、図示していない螺旋、接着、又は溶接によりカニューレ基板１９と接続されている。したがってフット部１９ｂは、例えば、圧入などにより、凹部１９ｃに配置される。
支持アーム部１９ａの先端がカニューレ筒１８の段になっている表面１９ｄで支えるられている場合、追加のサポートが得られる。１つ又は１つ以上の光導電体３６のための隙間を確保するため、支持アーム部１９はフット部１９ｂにおいて角度をなすように形成されることもできる。
【００２７】
ライトをつけるための光のスイッチは例えば機能性ハンドピース１上又は足踏スイッチ（図示せず）として配置される。
機能性ハンドピース１の各部品、特に外部から接触可能な部品は、耐腐蝕材料であり、殺菌剤又は滅菌剤に対しての耐性のある材料であり、好ましくはプラスチック及び／又は金属である。
【００２８】
【発明の効果】
本発明によると、従来における諸問題を解決し、従来と比較し、処置部における照明に優れる機能性ハンドピースを提供することができる。
更に、本発明のよると、材料を節約する構造を持ちつつ安定しており、且つ、軽量のハンドピース用カニューレを提供することができる。
【図面の簡単な説明】
【図１】図１は、本発明の多機能性ハンドピースの一例を示す側面図である。
【図２】図２は、本発明の多機能性ハンドピースのカニューレの一例を示す軸方向断面拡大図である。
【図３】図３は、本発明のカニューレの先端部の一例を示す拡大図である。
【図４】図４は、本発明の多機能性ハンドピースの光照射部の一例を独立した部品として示す側面図である。
【符号の説明】
１・・・機能性ハンドピース
２・・・ハンドピース本体
２ａ・・ハンドピース全部
２ｂ・・結合部
３・・・光照射部
３ａ・・光照射体
３ｂ・・接続体
３ｃ・・肩面
４・・・ヘッド部
５・・・光線
６・・・接続手段
６ａ・・差込取付部材
６ｂ・・掛け金手段
６ｅ・・掛け金端
６ｄ・・掛け金頭部
６ｆ・・弾力アーム部
６ｇ・・掛け金穴
６ｈ・・逃げ溝
６ｉ・・結合腹部
７・・・把持部
７ａ・・端面
８・・・カニューレ
８ａ・・端面
９・・・結合手段
１０・・・掛け金手段
１０ａ・・掛け金頭部／掛け金弾力アーム部
１０ｃ・・掛け金端部
１１・・・差込取付部材
１１ａ・・差込凹部
１１ｂ・・差込ピン
１３・・・差込／回転結合
１４・・・媒体ライン
１４ａ・・水ライン
１４ｂ・・空気ライン
１４ｃ・・ライン結合部
１５・・・媒体ノズル
１６・・・接合部
１７・・・環状溝
１８・・・カニューレ筒
１９・・・カニューレ基板
１９ａ・・支持アーム部
１９ｂ・・フット部
１９ｃ・・凹部
２０・・・押しボタン
２５・・・穴
２８・・・心立て部
３１・・・環状房
３２・・・ディスク
３３・・・穴
３６・・・光導電体
３６ａ・・光導電体
３６ｂ・・光導電体
３６ｃ・・光導電体後端面
３６ｄ・・後部光伝達光導電体
【図１】
2004081846.tif 000003
【図２】
2004081846.tif 000004
【図３】
2004081846.tif 000005
【図４】
2004081846.tif 000006